(57)【要約】【課題】  排水栓装置を、槽壁に挿通する排水口部材、槽壁またはエプロンに挿通する操作ガイド部材に簡単に接続する排水栓装置の接続構造を提供する。【解決手段】  排水継手１に排水機構体１１の支持体２１を支持すると共に、操作継手２に操作機構体１２の支持体２２を支持し、前記排水機構体１１と操作機構体１２とをレリースワイヤＬＷで連絡し、前記排水継手１を、槽壁Ｂに挿通する排水口部材３に、また操作継手２を、槽壁Ｂやエプロンに挿通する操作ガイド部材４に接続する時の排水栓装置の接続構造であって、前記排水口部材３、操作ガイド部材４と排水継手１、操作継手２とを相互の嵌め合いによる掛合で接続する。【選択図】  図１
2006063570.tif 000002
【特許請求の範囲】
【請求項１】
排水継手に排水機構体の支持体を支持すると共に、操作継手に操作機構体の支持体を支持し、前記排水機構体と操作機構体とをレリースワイヤで連絡し、前記排水継手を、槽壁に挿通する排水口部材に、また操作継手を、槽壁やエプロンに挿通する操作ガイド部材に接続する時の排水栓装置の接続構造であって、前記排水口部材、操作ガイド部材と排水継手、操作継手とを相互の嵌め合いによる掛合で接続していることを特徴とする排水栓装置の接続構造。
【請求項２】
前記排水口部材への排水継手の接続手段が、排水継手の入水口に上方から抜き差し可能に係合される排水機構体の支持体と、排水継手の入水口を囲繞するように排水継手に凹設され排水口部材の下端が嵌め込まれる環状凹部と、その環状凹部内に挿入され排水口部材の下端に圧接する環状シール部と、前記環状凹部の外壁部を構成するように周方向から起設した起立壁と排水口部材との両者間に形成され前記環状凹部への排水口部材嵌め込み時に掛合する接続用掛止部とを備えていることを特徴とする請求項１記載の排水栓装置の接続構造。
【請求項３】
前記起立壁における前記接続用掛止部と対応する同一高さまたは同等高さに位置外向き突起を突設すると共に、起立壁に一回り大径なリング材を外遊嵌し、該リング材にその外向き突起に掛合して前記接続用掛止部の掛合間係を増強する増強用掛止部を形成していることを特徴とする請求項２記載の排水栓装置の接続構造。
【請求項４】
前記操作ガイド部材への操作継手の接続手段は、操作ガイド部材に外側に向けて突設したストッパー部と、前記操作継手に設けられ環状シール部を内周面に配置した上方を開放する筒状ガイド部と、該筒状ガイド部に設けてなりストッパー部との衝合で拡開してストッパー部の進入を妨げずストッパー部の通過後復元してストッパー部を環状シール部を介して筒状ガイド部とで挟持する挟持部とを備えていることを特徴とする請求項１〜３いずれか１項記載の排水栓装置の接続構造。
【発明の詳細な説明】
【技術分野】
【０００１】
本発明は浴槽、洗面器等の槽壁に開口した排水口を遠隔操作で開閉する排水栓装置を、接続するその接続構造に関するものである。
【背景技術】
【０００２】
従来、排水栓装置には、排水継手内面に排水機構体の支持体を、また操作継手内面に操作機構体の支持体を各々進退可能に螺嵌し、その操作機構体と排水機構体とを連絡するレリースワイヤを配線してユニット化した構成のものが知られている。
そして、この排水栓装置を、槽壁に挿通される排水口部材、槽壁やエプロンに挿通される操作ガイド部材に接続する時には、槽壁を挿通するその排水口部材を排水継手内面に進退可能に螺嵌して、排水継手と排水口部材とで排水口に排水機構体を取付け、槽壁やエプロンに挿通する操作ガイド部材を操作継手内面に螺嵌して、操作継手と操作ガイド部材とで操作機構体を操作口に取付ける構造になっている（例えば、特許文献１参照）。
【０００３】
前記する先行技術は、排水継手内面に排水機構体の支持体を、また操作継手内面に操作機構体の支持体を各々捻じ込むと共に、その排水機構体と操作機構体とをレリースワイヤで連結してユニット化し、排水口部材、操作ガイド部材を浴槽、洗面器等の槽内から排水継手、操作継手に各々螺嵌して、そのユニット体の構成部材を分解せずに浴槽、洗面器等に排水栓装置を装着できるようになっている。
ところで、前記先行技術は、浴槽、洗面器等の槽内から排水口部材、操作ガイド部材を排水継手、操作継手に各々捻じ込んだ後、各々の支持体を排水口部材側、操作ガイド部材側に逆回転させて、その排水口部材先端、操作ガイド部材先端に衝合して、排水機構体、操作機構体がロックされるようになっている。
そのため、排水栓装置を装着するに際して、排水口部材、操作ガイド部材の排水継手、操作継手に対する捻じ込み操作と、各々の支持体の逆回転操作とが必要で、取付時の作業性が最適なものとはいい難いものであった。
【特許文献１】特開２００３−８２７３１号公報
【発明の開示】
【発明が解決しようとする課題】
【０００４】
本発明は上記従来事情に鑑みてなされたもので、その目的とする処は、排水栓装置（排水継手に排水機構体の支持体を支持すると共に操作継手に操作機構体の支持体を支持し、その排水機構体と操作機構体とをレリースワイヤで連絡してユニット化した排水栓装置）を、槽壁に挿通する排水口部材、槽壁やエプロンに挿通する操作ガイド部材に簡単に接続する排水栓装置の接続構造を提供することにある。
他の目的とする処は、排水口部材と排水継手との接続が強固で、排水機構体に槽内から誤って負荷荷重が作用しても接続が解除されることのない排水栓装置の接続構造を提供することにある。
【課題を解決するための手段】
【０００５】
前記課題を解決するために講じた技術的手段は、排水継手に排水機構体の支持体を支持すると共に、操作継手に操作機構体の支持体を支持し、前記排水機構体と操作機構体とをレリースワイヤで連絡し、前記排水継手を、槽壁に挿通する排水口部材に、また操作継手を、槽壁やエプロンに挿通する操作ガイド部材に接続する時の排水栓装置の接続構造であって、前記排水口部材、操作ガイド部材と排水継手、操作継手とを相互の嵌め合いによる掛合で接続していることを特徴とする排水栓装置の接続構造である（請求項１）。
そして、前記排水口部材への排水継手の接続手段の具体的一例が、排水口部材への排水継手の接続手段が、排水継手の入水口に上方から抜き差し可能に係合される排水機構体の支持体と、排水継手の入水口を囲繞するように排水継手に凹設され排水口部材の下端が嵌め込まれる環状凹部と、その環状凹部内に挿入され排水口部材の下端に圧接する環状シール部と、前記環状凹部の外壁部を構成するように周方向に起設した起立壁と排水口部材との両者間に形成され前記環状凹部への排水口部材嵌め込み時に相互に掛合する接続用掛止部とを備えていることである（請求項２）。
また、前記操作ガイド部材への操作継手の接続手段の具体的一例は、操作ガイド部材への操作継手の接続手段は、操作ガイド部材に外側に向けて突設したストッパー部と、前記操作継手に設けられ環状シール部を内周面に配置した上方を開放する筒状ガイド部と、該筒状ガイド部に設けてなりストッパー部との衝合で拡開してストッパー部の進入を妨げずストッパー部の通過後復元してストッパー部を環状シール部を介して筒状ガイド部とで挟持する挟持部とを備えていることである（請求項４）。
【０００６】
以上の手段によれば、槽壁に挿通する排水口部材、槽壁やエプロンに操作ガイド部材と、排水継手、操作継手との相互の嵌め合いによる掛合で両者を接続する（請求項１）。
詳細には、槽壁の排水口に装設されている排水口部材の下端が排水継手の入水口周りの環状凹部に嵌め込まれるように、排水継手を槽外から押上げる操作で、排水口部材が環状シール部を圧接すると同時に起立壁と排水口部材との両者が掛合し接続用掛止部を形成して、排水継手と排水口部材との接続が水密状をもって行われる（請求項２）。
そして、排水口部材内で排水継手の入水口に抜差し可能に係合されている排水機構体の支持体を槽内に引き出してメンテナンスに対処する（請求項２）。
そして、槽壁やエプロンの操作口に装設される操作ガイド部材から外向きに突設するストッパー部が操作継手の挟持部を拡径するように、操作継手を下方から押上げる操作で、ストッパー部の通過後その挟持部が復元してそのストッパー部を環状シール部を介してその挟持部と筒状ガイド部とで挟持して、操作継手と操作ガイド部材との接続が水密状をもって行われる（請求項４）。
前記排水機構体、操作機構体のどちらか一方に開閉機構等の周知のスラストロック機構を内蔵している。
【０００７】
また、前記起立壁における前記接続用掛止部と対応する同一高さまたは同等高さに位置外向き突起を突設すると共に、起立壁に一回り大径なリング材を外遊嵌し、該リング材にその外向き突起に掛合して前記接続用掛止部の掛合間係を増強する増強用掛止部を形成していると、より好適なものとなる（請求項３）。
【発明の効果】
【０００８】
本発明は以上のように構成しているので、排水継手に排水機構体の支持体を支持すると共に、操作継手に操作機構体の支持体を支持し、前記排水機構体と操作機構体とをレリースワイヤで連絡してユニット化された排水栓装置を、槽壁に挿通する排水口部材、槽壁やエプロンに挿通する操作ガイド部材に簡単に接続することができる。
しかも、請求項２、４においては、排水機構体の支持体を支持する排水継手、操作機構体の支持体を支持する操作継手を押上げるだけで、槽壁を挿通して装設されている排水口部材、操作ガイド部材に簡単に接続することができる。
その上、排水機構体の支持体を、排水継手の入水口に上方から抜差し可能に係合しているので、排水口部材に対する排水継手の掛止を解かずとも、その支持体を排水継手から外して槽内に引き出し、レリースワイヤとの接続状況や、開閉機構であるスラストロック機構の点検等が行える。
その上、請求項３にあっては、遊嵌されているリングを押上げて、起立壁の外向き突起にリングに形成されている増強用掛止部を掛合させて接続用掛止部の掛合間係を増強するから、排水口部材に対して排水継手がより強力に接続され、例えば誤って排水機構体で支えられる開栓状態の栓蓋に人体荷重等の負荷荷重に作用しても、排水口部材から排水継手が外れてしまう虞れを無くし、接続強度をアップすることができる。
【発明を実施するための最良の形態】
【０００９】
次ぎに、本発明排水栓装置の接続構造の実施の形態を図１〜図７に基づいて説明すると、符号Ａは、その排水栓装置である。
【実施例１】
【００１０】
排水栓装置Ａは、排水継手１、操作継手２内に各々排水機構体１１、操作機構体１２の支持体２１、２２を支持し、その排水機構体１１と操作機構体１２とをレリースワイヤＬＷで連結してユニット化され、排水口部材３、操作ガイド部材４に接続されるようになっている。
【００１１】
排水継手１は、合成樹脂製の排水クロスであり、図１に示すように本体周面に等間隔をおいてレリースワイヤＬＷの挿入路１ａや排水路１ｂを筒状に突設形成している。
また、この排水継手１は、図２に示すにように上面に入水口１ｃを開口し、その入水口１ｃを囲繞するように環状凹部１ｄを凹設し、更に環状凹部１ｄの外壁部に構成するように周方向に起立壁１ｅを起設している。
【００１２】
前記環状凹部１ｄには、その内部下端に環状シール部５が内設されている。
【００１３】
前記排水機構体１１は、案内筒体１１ａ内に周知のスラストロック機構（図示せず）を備え、その案内筒体１１ａ下端にレリースワイヤＬＷの一端を連結し、レリースワイヤＬＷの押動力を受けてスラストロック機構（図示せず）をその押動端でロックとロック解除を行わせて支持軸１１ｂに抜き差し可能に差し入れられる栓蓋６を上下動させる構成のものであり、押動力付与の度に栓蓋６を交互に上下動させて排水栓を開閉するようになっている。
【００１４】
他方、操作機構体１２は、図１に示すように操作筒体１２ａ内に、同操作筒体１２ａ下端に他端が連結されるレリースワイヤＬＷ用の戻し弾機１２ｃを介在し、上方から押しボタン７に係脱される操作軸１２ｂを突出させた構成のものであり、その操作軸１２ｂを押しボタン７を介して戻し弾機１２ｃの弾撥力に抗して押動することによって、レリースワイヤＬＷが前記排水機構体１１の案内筒体１１ａ内に往動して、スラストロック機構をその往動端でロックとロック解除を行わせて、栓蓋６を上下動させるようになっている。
【００１５】
排水機構体１１、操作機構体１２は共に支持体２１、２２に各々支持されている。
【００１６】
排水機構体１１の支持体２１は、合成樹脂材で成形され、図１、図２に示すように前記案内筒体１１ａから放射状や十字状に延設する連結片部２１ａの終端を外輪板２１ｂで連結すると共にその外輪板２１ｂから等間隔をおいて弾性脚部２１ｃをスリット（縦スリット）を隔てて複数個垂設すると共に、その弾性脚部２１ｃの下端に外側に向けて掛止爪部２１ｅを突設してなり、前記する排水継手１の入水口１ｃ内面から間隔をおいて起設した薄肉な係合片１ｆに外輪板２１ｂの内面を面係合させて同入水口１ｃの口縁に抜き差し可能に載承されている。
該係合片１ｆの前記外輪板２１ｂと対応する部位には、外輪板２１ｂ用の差込スリット１ｆ”が切欠形成されている。
また、図３に示すように、前記係合片１ｆを、入水口１ｃに載承される外輪板２１ｂの上面と同等高さまで起設し、その上端に外輪板２１ｂのその上端に係合する爪部１ｆ’を外側に向けて突設して、係合強度をアップさせたものであっても良いものである。
【００１７】
前記排水継手１の起立壁１ｅには、図２等に示すように、その上端から内向きに掛止突起１ｅ１が突設されており、この起立壁１ｅには、一回り大きなリング材８が外遊嵌されている。
【００１８】
前記排水口部材３は、図２に示すように槽壁Ｂへの掛止フランジ１３を上端に、また下側外周面に前記排水継手１の掛止突起１ｅ１に対応して掛合凹部２３を凹設すると共に、外輪板２１ｂの掛止爪部２１ｅに対応して下側内周面に掛合段部３３を段設形成し、槽壁Ｂの排水口ｂ１を挿通して締付ナットＮの締付で装設されている。
そして、前記起立壁１ｅの掛止突起１ｅ１と、排水口部材３の掛合凹部２３とで環状凹部１ｄへの排水口部材３嵌め込み時に相互に掛合する接続用掛止部９を構成するようになっており、更に前記起立壁１ｅには、前記掛止突起１ｅ１と対応して上端から外向き突起１ｅ２が突設されている。
【００１９】
前記リング材８は、図２に示すにように前記外向き突起１ｅ２を含む前記起立壁１ｅの直径よりも若干と小径として、その内面に外向き突起１ｅ２が掛合する増強用掛止部１８を形成して、その外向き突起１ｅ２に増強用掛止部１８を掛合させることによって、前記接続用掛止部１８の掛合を増強するようになっている。
【００２０】
一方、操作機構体１２の支持体２２は、前記操作筒体１２ａを嵌着する嵌着筒部であり、嵌着筒部２２から環状シール部１５を内周面に配置する上方を開放する筒状ガイド部３２を立上げて、操作継手２を形成している。
前記嵌着筒部２２は、図６、図７に示すように上部に等間隔をおいて軸方向に切欠き２２ａを設け、その切欠き２２ａ端に喰込み凸部２２ｂを内向きに突設して、内挿される前記操作機構体１２の操作筒体１２ａを係止するようになっている。
【００２１】
前記筒状ガイド部３２は、図６、図７のように前記嵌着筒部２２の中高部位から有底筒状をもって立上げられており、その上端に円板部３２ａを連設すると共に、円板部３２ａ直下には筒壁対称部位所要範囲に円弧状の切欠部３２ｂ、３２ｂが設けられている。
【００２２】
そして前記筒状ガイド部３２の底面には、前記環状シール部１５が配置されている。
【００２３】
また、前記切欠部３２ｂ、３２ｂには、Ｃ型の挟持部１０がその弾性を利用して抜き差し可能に係脱されるようになっている。
【００２４】
前記Ｃ型の挟持部１０は、図５〜図７等に示すように、その両円弧片部１０ａ、１０ａに円板部３２ａの囲繞空間から上方から臨む円弧状幅広部１０ｂ、１０ｂを形成して、その円弧状幅広部１０ｂ、１０ｂの下方に若干の隙間Ｓを介して前記環状シール部１５が臨むようにしてあり、その円弧状幅広部１０ｂ、１０ｂの内半部を、下向き傾斜ガイド面１０ｃ、１０ｃで構成している。
【００２５】
前記操作ガイド部材４は、図１に示すように槽壁Ｂやエプロン（図示せず）への掛止フランジ１４を上端に、また下端近傍位置にストッパー部２４を、円板状をもって突設し、槽壁Ｂやエプロンの操作口ｂ２を挿通し必要によって締付ナットの締付で装設されている。
【００２６】
そして、前記のようにユニット化された排水栓装置Ａの排水継手１を、槽壁Ｂに装設されている排水口部材３に接続する時には、図２（イ）（ロ）に示すように入水口１ｃ内面から等間隔をおいて起設した係合片１ｆに外輪板２１ｂを面係合させて、排水機構体１１の支持体２１を排水継手１に抜き差し可能に係合した状態で、その排水口部材３の下端が、環状凹部１ｄに挿入されるように排水継手１を上方に押上げる。
すると、図２（ハ）、（ニ）に示すように環状シール部５を圧接して環状凹部１ｄに排水口部材３の下端が嵌め込まれると同時に、排水口部材３の掛合凹部２３が、排水継手１の掛止突起１ｅ１に掛合して接続用掛止部９を構成し、尚且つ排水機構体１２の支持体２１の掛止凸部２１ｅが排水口部材３の掛合段部３３に掛合する。そして、リング材８を人為的に上方に持上げ、増強用掛止部１８を起立壁１ｅの外向き突起１ｅ２に掛合させて、前記接続用掛止部９の掛合を増強するようになっている。
これによって、排水機構体１１の支持体２１を支持する排水継手１の排水口部材３との水密状の接続が完了する。
【００２７】
そして、その排水栓装置Ａの操作継手２を、槽壁Ｂやエプロンに装設されている操作ガイド部材４に接続する時には、図７（イ）（ロ）に示すようには前記下向き傾斜ガイド面１０ｃ、１０ｃにストッパー部２４が衝合するように操作継手２を上方に押上げることによって、Ｃ型の挟持部１０が拡径して、ストッパー部２４の通過後、そのＣ型の挟持部１０が復元して、そのストッパー部２４を、環状シール部１５を介して同挟持部１０と筒状ガイド部３２とで水密状に挟持し、それによって、排水機構体１２の支持体２２を支持する排水継手１の排水口部材３との接続が完了する。
【００２８】
符号１６は、栓蓋から垂設した振れ防止体であり、この振れ防止体１６は、案内筒体１１ａに嵌合して摺動する内径の筒状部１６ａを有し、その筒状部１６ａの下端には、支持軸１１ｂの上下動時において前記連結片部２１ａを避けるための軸方向の切込み１６ｃが、連結片部２１ａの枚数分形成してある。
前記振れ防止体１６は、支持軸１１ｂによる栓蓋６の上下動に伴って、案内筒体１１ａ内に案内されるように上下動するようになっている。
その筒状部１６ａの長さを栓蓋６が支持軸１１ｂで上昇された状態（排水口開口状態）であっても、案内筒体１１ａの外周面に添う長さに設定することによって、支持軸１１ｂの振れや傾きを防止する働きがある。
また、この振れ防止体１６は、排水に混入する異物が案内筒体に開孔されている支持軸ガイド孔（図示せず）から案内筒体１１ａ内に入り込むのを防止する異物混入防止用カバーとしても機能するようになっている。
【００２９】
また、排水機構体１１の支持体２１を、掛止爪部２１ｅの排水口部材３における掛合段部３３との掛合力に抗して槽内に引き出すことによって、図４に示すように係合片１ｆが入水口１ｃ側に弾性変形して掛止爪部２１ｅが外れるスペースを排水口部材３との間に形成して排水機構体１１をメンテナンスできるようにしている。
メンテナンス後には、係合片１ｆを入水口１ｃ側に弾性変形させるようにして掛止爪部２１ｅを差し入れて、掛合段部３３に掛合することによって、排水機構体１１をセットするようになっている。
【００３０】
そして、図示しないが、挟持部の構成は、操作ガイド部材に外側に向けて突設したストッパー部との衝合で拡開してストッパー部の進入を妨げずストッパー部の通過後復元してストッパー部を環状シール部を介して筒状ガイド部とで挟持する構成のものであれば、実施の形態のＣ型に限定されるものではないこと言うまでもないものである。
また、符号Ｃは、レリースワイヤＬＷのガイドチューブであり、操作継手２の支持体２２である前記嵌着筒部に嵌着されている。Ｄは、排水継手１の前記挿入路１ａに嵌着される封水キャップで、レリースワイヤＬＷを水密状に挿通する挿通孔ｄを開孔している。
【図面の簡単な説明】
【００３１】
【図１】本実施の形態排水栓装置の接続構造の正面断面図。
【図２】排水口部材と排水継手との接続部分を示す要部の断面図で、（イ）は、排水機構体を支持する排水継手を排水口部材に嵌め込む押上げ前の状態を示す、（ロ）は、環状凹部に排水口部材の下端を嵌め込む状態を示す、（ハ）は、環状シール部に圧接して嵌め込みが進行している状態を示す、（ニ）は、接続用掛止部を構成し、尚且つリングを上昇させて接続用掛止部の掛合関係を増強する増強用掛止部を形成している状態を示す。
【図３】係合片の他の変形例を示す同排水口部材と排水継手との接続部分を示す要部の断面図。
【図４】排水機構体をメンテナンスするために抜取る状態を示す要部に断面図。
【図５】挟持部の斜視図。
【図６】操作継手を示し、（イ）は、縦断面図、（ロ）は、平面図で一部切欠し、挟持部を二点鎖線で示す。
【図７】操作ガイド部材と操作継手との接続部分を示す要部の断面図で、（イ）は、操作機構体を支持する操作継手を操作ガイド部材に嵌め込む押上げ前の状態を示す、（ロ）は、操作ガイド部材と操作継手との接続が完了した状態を示す。
【符号の説明】
【００３２】
Ａ：排水栓装置                    １：排水継手
２：操作継手                    １１：排水機構体
２１：操作機構体            ２１、２２：支持体
ＬＷ：レリースワイヤ                Ｂ：槽壁
３：排水口部材                    ４：操作ガイド部材
５、１５：環状シール部                １ｃ：入水口
１ｄ：環状凹部                    １ｅ：起立壁
９：接続用掛止部                  ８：リング材
１ｅ２：外向き突起                  １８：増強用掛止部
２４：ストッパー部                ３２：筒状ガイド部
１０：挟持部
【図１】
2006063570.tif 000003
【図２】
2006063570.tif 000004
【図３】
2006063570.tif 000005
【図４】
2006063570.tif 000006
【図５】
2006063570.tif 000007
【図６】
2006063570.tif 000008
【図７】
2006063570.tif 000009